(57)【特許請求の範囲】
【請求項１】
信号を受信する受信部と、
報知部と、
アプリケーションを実行する制御部と、を有し、
前記制御部は、前記受信部による信号の受信に対する応答を禁止することで、前記アプリケーションを実行しているときに前記受信部により前記信号が受信された場合に、実行している前記アプリケーションへの当該受信に起因する割り込みを抑制すると共に、前記アプリケーションの実行状態が第１の所定状態になると、前記アプリケーションを実行しているときに前記受信部による受信があった旨の報知を前記報知部により行い、前記受信部による信号の受信に対する応答を禁止した状態を維持することを特徴とする携帯電話装置。
【請求項２】
楽曲データを記憶する記憶部を有し、
前記制御部は、音楽再生に係るアプリケーションを実行して前記報知部により前記楽曲データを再生可能に構成され、
前記制御部は、前記受信部による信号の受信に対する応答を禁止することで、前記音楽再生に係るアプリケーションを実行して前記報知部による前記楽曲データを再生しているときに前記受信部により前記信号が受信された場合に、前記実行している前記音楽再生に係るアプリケーションへの当該受信に起因する割り込みを抑制すると共に、前記音楽再生に係るアプリケーションの実行状態が前記報知部による前記楽曲データの再生が終了した状態になると、前記音楽再生に係るアプリケーションが前記第１の所定状態になったものとして、前記音楽再生に係るアプリケーションを実行しているときに前記受信部による受信があった旨の報知を前記報知部により行うことを特徴とする請求項１に記載の携帯電話装置。
【請求項３】
所定の設定を記憶する記憶部を有し、
前記制御部は、前記受信部による信号の受信に応答して所定のアプリケーションを実行可能に構成され、
前記制御部は、前記アプリケーションを実行しているときに前記受信部により信号が受信されると、前記記憶部に記憶された前記所定の設定に応じて、前記受信部による信号の受信に対する応答を禁止することで前記実行している前記アプリケーションへの当該受信に起因する割り込みを抑制するか、前記受信に応答して前記所定のアプリケーションを実行するかを選択する、ことを特徴とする請求項１に記載の携帯電話装置。
【請求項４】
前記記憶部は、着信メロディ用の第１の楽曲データと着信メロディ用の
前記第１の楽曲データとは異なる第２の楽曲データとを記憶し、
前記制御部は、音楽再生に係るアプリケーションを実行して前記報知部により前記第２の楽曲データを再生可能に構成され、
前記制御部は、音楽再生に係るアプリケーションを実行して前記報知部により前記第２の楽曲データを再生しているときに前記受信部により前記信号が受信されて、かつ、前記記憶部に記憶された前記所定の設定に応じて前記受信に応答した前記所定のアプリケーションを実行することを選択した場合には、前記報知部により前記第１の楽曲を再生する、ことを特徴とする請求項３に記載の携帯電話装置。
【請求項５】
前記制御部は、前記音楽再生に係るアプリケーションを実行して前記報知部により前記第２の楽曲データを再生しているときに前記受信部により前記信号が受信されて、かつ、前記記憶部に記憶された前記所定の設定に応じて前記信号に応答した前記所定のアプリケーションを実行することを選択した場合には、前記報知部により前記第１の楽曲を再生した後、前記所定のアプリケーションの実行状態が第２の所定状態となると、前記報知部により前記第２の楽曲データを再生可能にする、ことを特徴とする請求項４に記載の携帯電話装置。
【請求項６】
前記受信部は、着呼信号を受信可能に構成され、
前記制御部は、前記受信部による前記着呼信号の受信に応答した通話に係るアプリケーションを前記所定のアプリケーションとして実行可能に構成される、ことを特徴とする請求項３から請求項５のいずれか一項に記載の携帯電話装置。
【請求項７】
前記受信部は、着呼信号を受信可能に構成され、
前記制御部は、前記受信部による前記着呼信号の受信に応答した通話に係るアプリケーションを前記所定のアプリケーションとして実行可能に構成され、
前記制御部は、前記音楽再生に係るアプリケーションを実行して前記報知部により前記第２の楽曲データを再生しているときに前記受信部により前記着呼信号が受信されて、かつ、前記記憶部に記憶された前記所定の設定に応じて前記受信に応答した前記通話に係るアプリケーションを前記所定のアプリケーションとして実行することを選択した場合には、前記報知部により前記第１の楽曲を再生した後、前記通話に係るアプリケーションの実行状態が終話状態になると、前記報知部により前記第２の楽曲データを再生可能にする、ことを特徴とする請求項５に記載の携帯電話装置。
【発明の詳細な説明】
【０００１】
【発明の属する技術分野】
本発明は、所謂携帯電話機、ＰＨＳ等の携帯電話装置に係り、特に、音楽再生機能やゲーム機能等のアプリケーションの付加機能を有する携帯電話装置に関する。
【０００２】
【従来の技術】
従来の携帯電話装置では、電源がオン状態になっている間は、常に待ち受け状態となっていた。
【０００３】
【発明が解決しようとする課題】
上述したように、従来の携帯電話装置では、電源がオン状態になっている間は、常に待ち受け状態となっていたために音楽再生機能やゲーム機能等のアプリケーション機能が付加された携帯電話機で各アプリケーションを使用する場合に常に着信やメール受信等の割り込みを受ける可能性が有り、選択したアプリケーションに専念することができないという問題が有った。
【０００４】
また、電車、バス等の公共交通機関への乗車時等に、携帯電話装置の使用により着信、通話等による他人への迷惑の減少を図ること、ペースメーカ装着者への配慮を図ること等の要請により携帯電話装置の電源を切ることが求められており、この場合に公共交通機関に乗車している間は、音楽再生機能、ゲーム機能等のアプリケーションを使用できないという問題が有った。
本発明はこのような事情に鑑みてなされたものであり、音楽再生機能、ゲーム機能等のアプリケーション使用時には電話機としての機能（以下、電話機機能と記す）を停止させ、ゲーム機能や音楽再生機能等の各アプリケーションの専用端末として機能させることが可能な携帯電話装置を提供することを目的とする。
【０００５】
【課題を解決するための手段】
上記目的を達成するために、以下の手段を採用した。
本願発明に係る携帯電話装置は、信号を受信する受信部と、報知部と、アプリケーションを実行する制御部と、を有し、前記制御部は、前記受信部による信号の受信に対する応答を禁止することで、前記アプリケーションを実行しているときに前記受信部により前記信号が受信された場合に、実行している前記アプリケーションへの当該受信に起因する割り込みを抑制すると共に、前記アプリケーションの実行状態が第１の所定状態になると、前記アプリケーションを実行しているときに前記受信部による受信があった旨の報知を前記報知部により行い、前記受信部による信号の受信に対する応答を禁止した状態を維持することを特徴とする。
【０００６】
また、楽曲データを記憶する記憶部を有し、前記制御部は、音楽再生に係るアプリケーションを実行して前記報知部により前記楽曲データを再生可能に構成され、前記制御部は、前記受信部による信号の受信に対する応答を禁止することで、前記音楽再生に係るアプリケーションを実行して前記報知部による前記楽曲データを再生しているときに前記受信部により前記信号が受信された場合に、前記実行している前記音楽再生に係るアプリケーションへの当該受信に起因する割り込みを抑制すると共に、前記音楽再生に係るアプリケーションの実行状態が前記報知部による前記楽曲データの再生が終了した状態になると、前記音楽再生に係るアプリケーションが前記第１の所定状態になったものとして、前記音楽再生に係るアプリケーションを実行しているときに前記受信部による受信があった旨の報知を前記報知部により行うことを特徴とする。
また、所定の設定を記憶する記憶部を有し、前記制御部は、前記受信部による信号の受信に応答して所定のアプリケーションを実行可能に構成され、前記制御部は、前記アプリケーションを実行しているときに前記受信部により信号が受信されると、前記記憶部に記憶された前記所定の設定に応じて、前記受信部による信号の受信に対する応答を禁止することで前記実行している前記アプリケーションへの当該受信に起因する割り込みを抑制するか、前記受信に応答して前記所定のアプリケーションを実行するかを選択する、ことを特徴とする。
【０００７】
また、前記記憶部は、着信メロディ用の第１の楽曲データと着信メロディ用の前記第１の楽曲データとは異なる第２の楽曲データとを記憶し、前記制御部は、音楽再生に係るアプリケーションを実行して前記報知部により前記第２の楽曲データを再生可能に構成され、前記制御部は、音楽再生に係るアプリケーションを実行して前記報知部により前記第２の楽曲データを再生しているときに前記受信部により前記信号が受信されて、かつ、前記記憶部に記憶された前記所定の設定に応じて前記受信に応答した前記所定のアプリケーションを実行することを選択した場合には、前記報知部により前記第１の楽曲を再生する、ことを特徴とする。
また、前記制御部は、前記音楽再生に係るアプリケーションを実行して前記報知部により前記第２の楽曲データを再生しているときに前記受信部により前記信号が受信されて、かつ、前記記憶部に記憶された前記所定の設定に応じて前記信号に応答した前記所定のアプリケーションを実行することを選択した場合には、前記報知部により前記第１の楽曲を再生した後、前記所定のアプリケーションの実行状態が第２の所定状態となると、前記報知部により前記第２の楽曲データを再生可能にする、ことを特徴とする。
また、前記受信部は、着呼信号を受信可能に構成され、前記制御部は、前記受信部による前記着呼信号の受信に応答した通話に係るアプリケーションを前記所定のアプリケーションとして実行可能に構成される、ことを特徴とする。
【０００８】
また、前記受信部は、着呼信号を受信可能に構成され、前記制御部は、前記受信部による前記着呼信号の受信に応答した通話に係るアプリケーションを前記所定のアプリケーションとして実行可能に構成され、前記制御部は、前記音楽再生に係るアプリケーションを実行して前記報知部により前記第２の楽曲データを再生しているときに前記受信部により前記着呼信号が受信されて、かつ、前記記憶部に記憶された前記所定の設定に応じて前記受信に応答した前記通話に係るアプリケーションを前記所定のアプリケーションとして実行することを選択した場合には、前記報知部により前記第１の楽曲を再生した後、前記通話に係るアプリケーションの実行状態が終話状態になると、前記報知部により前記第２の楽曲データを再生可能にする、ことを特徴とする。
【０００９】
本願発明によれば、受信に起因する実行中のアプリケーションへの割り込みが抑制できるため、実行中のアプリケーションが中断されるおそれが低減される。
【００１０】
【発明の実施の形態】
以下、本発明の実施の形態を、図面を参照して詳細に説明する。本発明の実施の形態に係る携帯電話装置の電気的構成を図１に示す。同図において、携帯電話装置１は、各種プログラムを実行することにより電話機、各種アプリケーションの専用機としての各部の動作を制御するＣＰＵ１０と、各種プログラム及び固定データが格納されるＲＯＭ１２と、ＲＡＭ１４と、入力部１６と、表示部１８と、無線通信部２０と、音声処理部２２と、音楽再生部２４と、インターフェース（Ｉ／Ｆ）２６と、受話用スピーカ２８と、マイク３０と、着信用スピーカ３２と、バイブレータ３４とを有している。
【００１１】
ＲＯＭ１２には各種プログラムの他に、着信メロディ用の楽曲データ等の固定データゲームソフト等のアプリケーションプログラムが記憶されており、また、ＲＡＭ１４には、ネットワークを介してダウンロードした楽曲データ、ゲームソフト等のアプリケーションプログラム、または外部のオーディオ機器から取り込んだ楽曲データ等のデータが格納されるようになっている。
入力部１６は、通話を開始する際に使用する開始キー（発呼キーを兼用）、通話を終了する際に使用する終了キー、数字キー、各種機能キー、電源キー等から構成されている。入力部１６は、本発明の入力手段に相当し、ＣＰＵ１０は、本発明の制御手段に相当する。
無線通信部２０は、図示してないアンテナを介して受信する信号の復調し、外部に送信する信号を変調してアンテナを介して送信する。
【００１２】
入力部１６の各種キーの操作により各種動作モードが設定できるようになっているが、この動作モードには、待ち受け機能（電話機機能）を停止させるための待ち受け動作停止モードが含まれている。ここで、待ち受け機能を停止（電話機機能を停止）するとは、具体的には、基地局に対して位置登録動作をしないこと、発呼動作を禁止すること、着信動作を禁止すること（着信に対して応答することを禁止すること）等、要するに電波を外部に発信する動作を禁止することをいうものとする。
【００１３】
この待ち受け動作停止モードは、メニュー表示上で選択するか、あるいは特定の機能を有するキー、例えば、開始キーを長押しすることにより設定することができるようになっている。また、待ち受け動作停止モードを解除するには、クリアキーを操作するか、あるいは、このモードの設定時と同じ操作、すなわち、上述の例では、開始キーを長押しすることにより解除することができるようになっている。待ち受け動作停止モードの設定、解除の操作は、この例に限らないことは勿論である。なお、携帯電話装置１に電源が投入された際にはデフォルト値として、待ち受け動作停止モードはオフ状態に設定されるようになっている。
【００１４】
音声処理部２２は、音声ＣＯＤＥＣを有し、無線通信部２０から受け取った音声信号を復号して受話用スピーカ２８に出力し、マイク３０から入力された音声信号を圧縮符号化して無線通信部２０に送出する。
音楽再生部２４は、着信時に着信を報知する着信メロディとしての楽曲を再生して着信用スピーカ３２に出力し、あるいはＲＯＭ１２またはＲＡＭ１４に格納された楽曲を再生する。
【００１５】
また、音楽再生部２４の出力端は出力端子（ジャック）６２に接続されている。出力端子（ジャック）６２はリモートコントローラ７０のプラグ７２と接続することによりリモートコントローラ７０と接続できるようになっている。リモートコントローラ７０には、楽曲再生に必要な操作キーが設けられていると共に、ヘッドホーン７４が接続されており、所定のキー操作によりヘッドホーン７４により再生された楽曲を聴取することができるようになっている。
【００１６】
ＣＰＵ１０、１２、ＲＡＭ１４、入力部１６、表示部１８、無線通信部２０、音声処理部２２、音楽再生部２４、インターフェース（Ｉ／Ｆ）２６、及びバイブレータ３４は、バス５０を介して相互に接続されている。
さらに、インターフェース２６の入力端は、入力端子（ジャック）６４に接続されており、外部のオーディオ機器を入力端子６４を介してインターフェース２６に接続することにより所望の楽曲データをＲＡＭ１４に格納することができるようになっている。
【００１７】
上記構成からなる本実施の形態に係る携帯電話装置１の動作を図２乃至図４のフローチャートを参照して説明する。図２は、待ち受け動作停止モード設定時の動作を示している。同図において、携帯電話装置１に電源をオン状態にした後、入力部１６のキー操作によりまず、メニュー画面を表示する（ステップ１００）。次いで、待ち受け動作停止モードのメニューを選択したか否かが判定され（ステップ１０１）、待ち受け動作停止モードのメニューが選択された場合には、待ち受け動作停止モードが設定されたか、否かが判定される（ステップ１０２）。待ち受け動作停止モードの設定は既述したように、メニュー画面上で、このモードをキー操作により選択するか、あるいは開始キーを長押しすることにより設定される。図５に携帯電話装置１の表示部１８におけるメニュー画面表示（図５（ａ））から待ち受け動作停止モードが設定されるまでの表示画面の変化状態（図５（ｇｂ）〜（ｄ））を示す。
【００１８】
ステップ１０２で、待ち受け動作停止モードに設定されていると判定された場合には、ステップ１０３で待ち受け動作停止モードに設定されている状態を識別するためのフラグＦをセット状態（「１」）とし、待ち受け機能を停止、すなわち電話機機能を停止し、この処理の実行を終了する（ステップ１０４）。
また、ステップ１０１で待ち受け動作停止モードのメニューが選択されていないと判定された場合には、他の処理を実行し（ステップ１０５）、その後、この処理の実行を終了する。
さらに、ステップ１０２で待ち受け動作停止モードが設定されていない場合には、待ち受け状態のまま維持し、この処理の実行を終了する（ステップ１０６）。
【００１９】
次に、携帯電話装置１に付属機能として音楽再生機能、ゲーム機能等のアプリケーションが用意されているが、ここでは、音楽再生機能のアプリケーション使用時における携帯電話装置の動作について説明する。図３において、ます、入力部１６における所定のキー操作により、メニュー画面の表示が行われ（ステップ２００）、次いで、ユーザによりメニューから「音楽再生モード」が選択され、ガイダンス表示に従い、再生する曲目等の指定が行われる（ステップ２０２）。この結果、ユーザにより指定された曲目の楽曲データがＲＯＭ１２、またはＲＡＭ１４から読み出され、音楽再生部２４で再生され、着信用スピーカ３２より、あるいはリモートコントローラ７０に接続されたヘッドホーン７４に楽音が出力される（ステップ２０３）。
【００２０】
このように楽曲再生中に基地局より着呼信号を受信すると（ステップ２０４）、ステップ２０５ではＲＡＭ１４の所定のメモリエリアに記憶されている待ち受け動作停止モードに設定されている状態を識別するためのフラグＦがセット状態に有るか否かが判定される。ここで、フラグＦがセット状態にあると判定された場合には、着信動作を禁止し、すなわち着信に対して応答する動作を禁止する（ステップ２０６）。この場合、楽曲再生動作に割り込みはかからないように処理される。
次いで、ステップ２０７で楽曲の再生が終了したか否かが判定される。楽曲の再生が終了していない場合には終了するまで、楽曲の再生が行われ、楽曲の再生が終了すると、表示部１８には着信が有った旨、表示され（ステップ２０８）、この処理の実行を終了する。
【００２１】
一方、ステップ２０５でフラグＦがリセット状態にあると判定された場合には、待ち受け動作停止モードが設定されていない通常の電話機能が行える状態にあるので、予め設定されている着信メロディ用の楽曲データをＲＯＭ１２またはＲＡＭ１４から読み出し、これを音楽再生部２４により再生し、着信用スピーカ３２より出力することによりユーザに着信を報知するか、またはバイブレータ３４を駆動することによりユーザに着信を報知する（ステップ２０９）。
【００２２】
次いで、ユーザが開始キーを操作することにより通話相手と通話を行い（ステップ２１０）、終話が検出されると（ステップ２１１）、切断処理が行われ、楽曲の再生が可能な状態に復帰し（ステップ２１２、２１３）、この処理の実行を終了する。
図２のフローチャートでは、待ち受け動作停止モード設定時の動作において、待ち受け動作停止モードが設定された場合には、待ち受け機能を停止するようにしたが、図４に示すように、待ち受け機能を停止する代わりに、圏外モードに設定する（ステップ３００）ようにしてもよい。図４に示すフローチャートは、ステップ３００以外の処理は図２と同一であるので、図示を省略してある。
【００２３】
以上に説明したように、本発明の実施の形態に係る携帯電話装置によれば、音楽再生機能やゲーム機能等のアプリケーションの付加機能を有する携帯電話装置において、待ち受け機能を停止させるための待ち受け動作停止モードを有し、該待ち受け動作停止モードに設定することにより、電話機機能を停止させるか、または圏外モードに動作モードを移行させ、前記アプリケーション機能のうちの選択したいずれかのアプリケーション機能のみを実行するようにしたので、アプリケーション使用時に携帯電話装置をゲーム機能や音楽再生機能等の各アプリケーションの専用端末として機能させることが可能となる。
【００２４】
【発明の効果】
請求項１乃至３に係る発明によれば、音楽再生機能やゲーム機能等のアプリケーションの付加機能を有する携帯電話装置において、待ち受け機能を停止させるための待ち受け動作停止モードを有し、該待ち受け動作停止モードに設定することにより、電話機機能を停止させるか、または圏外モードに動作モードを移行させ、前記アプリケーション機能のうちの選択したいずれかのアプリケーション機能のみを実行するようにしたので、アプリケーション使用時に携帯電話装置をゲーム機能や音楽再生機能等の各アプリケーションの専用端末として機能させることが可能となる。
【００２５】
また、着信等による割り込みが無いため、各アプリケーションの使用を中断することなく、アプリケーション専用機として好みの時間帯に使用することが可能となる。
さらに、電車、バス等の公共交通機関に乗車している場合にも、電話機機能を停止させて、音楽等を楽しむことができる。
【図面の簡単な説明】
【図１】  本発明の実施の形態に係る携帯電話装置の電気的構成を示すブロック図。
【図２】  図１に示した携帯電話装置の待ち受け動作停止モード設定時の動作の一例を示すフローチャート。
【図３】  図１に示した携帯電話装置のアプリケーション使用時における動作を示すフローチャート。
【図４】  図１に示した携帯電話装置の待ち受け動作停止モード設定時の動作の他の例を示すフローチャート。
【図５】  図１に示した携帯電話装置の待ち受け動作停止モード設定時における表示部１８の表示例を示す説明図
【符号の説明】
１  携帯電話装置
１０  ＣＰＵ
１２  ＲＯＭ
１４  ＲＡＭ
１６  入力部
１８  表示部
２０  無線通信部
２２  音声処理部
２４  音楽再生部
２６  インターフェース（Ｉ／Ｆ）
２８  受話用スピーカ
３０  マイク
３２  着信用スピーカ
３４  バイブレータ
５０  バス
６２  出力端子
６４  入力端子
７０  リモートコントローラ
７２  プラグ
７４  ヘッドホーン
【図１】
0005008797.tif 000002
【図２】
0005008797.tif 000003
【図３】
0005008797.tif 000004
【図４】
0005008797.tif 000005
【図５】
0005008797.tif 000006